(57)【特許請求の範囲】
【請求項１】
複雑系の関心要素の可視化及び解析のためのシステムを実施する装置であって、プロセッサと、実行可能指令を記憶するメモリとを備え、前記実行可能指令が、前記プロセッサによる実行に応答して、前記装置に少なくとも、
複数の要素から成る複雑系の物理インスタンスに関するデータを受信及び処理する（１０２）ことであって、前記データは、前記複雑系に対する複数の保守メッセージを識別するために受信及び処理され、複数の診断手順が前記複数の保守メッセージについて規定され、かつ前記複数の保守メッセージに関連付けられ、前記複数の診断手順は、前記複数の要素のうちの複数の関心要素に関与するか、又は影響を与える、前記データを受信及び処理することと、
前記複雑系の少なくとも一部分の視覚提示を生成する（１０８）ことであって、前記視覚提示は、デジタルメディアであり、かつ、前記複数の要素のうちの前記複数の関心要素及び一又は複数のそれ以外の要素を描写する、視覚提示を生成することと、
前記複数の関心要素から少なくとも一つの重要関心要素を識別するために、前記複数の関心要素を解析する（１１２）ことであって、
一又は複数のエッジによって接続された複数の頂点を含むグラフを生成することであって、前記複数の頂点は、前記複数の関心要素のうちのそれぞれの要素に対応し、前記一又は複数のエッジは、前記複数の要素間の一又は複数の接続のそれぞれを表す、前記グラフを生成することと、
前記複数の頂点から少なくとも一つの重要頂点を識別するために、前記グラフを解析することであって、前記少なくとも一つの重要頂点は前記複数の関心要素のうちの前記少なくとも一つの重要関心要素に対応し、前記少なくとも一つの重要頂点は、最大数のエッジに接続されているか、又は最大加重和を有する任意の数のエッジに接続されている、前記グラフを解析すること
を含む、前記複数の関心要素を解析することと、
前記視覚提示によって描写された前記複数の関心要素を前記一又は複数のそれ以外の要素から区別するために、前記視覚提示によって描写された前記複数の関心要素に視覚効果を適用する（１１０）ことであって、
更に前記複数の関心要素のうちの前記少なくとも一つの重要関心要素をそれ以外の関心要素から区別するために、前記少なくとも一つの重要関心要素に適用された前記視覚効果の特性を変えること、又は、前記少なくとも一つの重要関心要素に第２の視覚効果を適用すること
を含む、視覚効果を適用すること
を実行させる、装置。
【請求項２】
前記装置に前記視覚提示を生成する（１０８）ことを実行させることは、前記複雑系のデジタル三次元（３Ｄ）モデルの少なくとも一部分の視覚提示を生成することを実行させることを含み、前記視覚効果は、前記複数の関心要素に対応する前記３Ｄモデルの３Ｄオブジェクトに適用される、請求項１に記載の装置。
【請求項３】
前記複数の関心要素は、前記複数の診断手順のうちの第１のものに関与するか、又はその影響を受ける第１の一又は複数の関心要素と、前記複数の診断手順のうちの第２のものに関与するか、又はその影響を受ける第２の一又は複数の関心要素とを含み、
前記装置に前記視覚効果を適用する（１１０）ことを実行させることは、前記第１の一又は複数の関心要素と前記第２の一又は複数の関心要素とを互いから区別するために、前記第１の一又は複数の関心要素と前記第２の一又は複数の関心要素とで、適用される前記視覚効果の特性を変えるように実行させることを含む、請求項１に記載の装置。
【請求項４】
方法であって、
複数の要素から成る複雑系の物理インスタンスに関するデータを受信し、処理すること（１０２）を含み、前記データは、前記複雑系に対する複数の保守メッセージを識別するために受信及び処理され、複数の診断手順が前記複数の保守メッセージについて規定され、かつ前記複数の保守メッセージに関連付けられ、前記複数の診断手順は、前記複数の要素のうちの複数の関心要素に関与するか、又は影響を与え、
前記方法はさらに、前記複雑系の少なくとも一部分の視覚提示を生成すること（１０８）を含み、前記視覚提示は、デジタルメディアであり、かつ、前記複数の要素のうちの前記複数の関心要素及び一又は複数のそれ以外の要素を描写し、
前記方法はさらに、前記複数の関心要素から少なくとも一つの重要関心要素を識別するために、前記複数の関心要素を解析すること（１１２）を含み、前記複数の関心要素を解析すること（１１２）は、
一又は複数のエッジによって接続された複数の頂点を含むグラフを生成することであって、前記複数の頂点は、前記複数の関心要素のうちのそれぞれの要素に対応し、前記一又は複数のエッジは、前記複数の要素間の一又は複数の接続のそれぞれを表す、前記グラフを生成することと、
前記複数の頂点から少なくとも一つの重要頂点を識別するために、前記グラフを解析することであって、前記少なくとも一つの重要頂点は前記複数の関心要素のうちの前記少なくとも一つの重要関心要素に対応し、前記少なくとも一つの重要頂点は、最大数のエッジに接続されているか、又は最大加重和を有する任意の数のエッジに接続されている、前記グラフを解析すること
を含み、
前記方法はさらに、前記視覚提示によって描写された前記複数の関心要素を前記一又は複数のそれ以外の要素から区別するために、前記視覚提示によって描写された前記複数の関心要素に視覚効果を適用すること（１１０）を含み、前記視覚効果を適用すること（１１０）は、
更に前記複数の関心要素のうちの前記少なくとも一つの重要関心要素をそれ以外の関心要素から区別するために、前記少なくとも一つの重要関心要素に適用された前記視覚効果の特性を変えること、又は、前記少なくとも一つの重要関心要素に第２の視覚効果を適用することを含む、方法。
【請求項５】
前記視覚提示を生成すること（１０８）は、前記複雑系のデジタル三次元（３Ｄ）モデルの少なくとも一部分の視覚提示を生成することを含み、前記視覚効果は、前記複数の関心要素に対応する前記３Ｄモデルの３Ｄオブジェクトに適用される、請求項４に記載の方法。
【請求項６】
前記複数の関心要素は、前記複数の診断手順のうちの第１のものに関与するか、又はその影響を受ける第１の一又は複数の関心要素と、前記複数の診断手順のうちの第２のものに関与するか、又はその影響を受ける第２の一又は複数の関心要素とを含み、
前記視覚効果を適用すること（１１０）は、前記第１の一又は複数の関心要素と前記第２の一又は複数の関心要素とを互いから区別するために、前記第１の一又は複数の関心要素と前記第２の一又は複数の関心要素とで、適用される前記視覚効果の特性を変えることを含む、請求項４に記載の方法。
【請求項７】
非一時的で、かつ、コンピュータ可読プログラムコード部分が記憶されたコンピュータ可読記憶媒体であって、前記コンピュータ可読プログラムコード部分が、プロセッサによる実行に応答して、装置に少なくとも、
複数の要素から成る複雑系の物理インスタンスに関するデータを受信及び処理する（１０２）ことであって、前記データは、前記複雑系に対する複数の保守メッセージを識別するために受信及び処理され、複数の診断手順が前記複数の保守メッセージについて規定され、かつ前記複数の保守メッセージに関連付けられ、前記複数の診断手順は、前記複数の要素のうちの複数の関心要素に関与するか、又は影響を与える、前記データを受信及び処理することと、
前記複雑系の少なくとも一部分の視覚提示を生成する（１０８）ことであって、前記視覚提示は、デジタルメディアであり、かつ、前記複数の要素のうちの前記複数の関心要素及び一又は複数のそれ以外の要素を描写する、視覚提示を生成することと、
前記複数の関心要素から少なくとも一つの重要関心要素を識別するために、前記複数の関心要素を解析する（１１２）ことであって、
一又は複数のエッジによって接続された複数の頂点を含むグラフを生成することであって、前記複数の頂点は、前記複数の関心要素のうちのそれぞれの要素に対応し、前記一又は複数のエッジは、前記複数の要素間の一又は複数の接続のそれぞれを表す、前記グラフを生成することと、
前記複数の頂点から少なくとも一つの重要頂点を識別するために、前記グラフを解析することであって、前記少なくとも一つの重要頂点は前記複数の関心要素のうちの前記少なくとも一つの重要関心要素に対応し、前記少なくとも一つの重要頂点は、最大数のエッジに接続されているか、又は最大加重和を有する任意の数のエッジに接続されている、前記グラフを解析すること
を含む、前記複数の関心要素を解析することと、
前記視覚提示によって描写された前記複数の関心要素を前記一又は複数のそれ以外の要素から区別するために、前記視覚提示によって描写された前記複数の関心要素に視覚効果を適用する（１１０）ことであって、
更に前記複数の関心要素のうちの前記少なくとも一つの重要関心要素をそれ以外の関心要素から区別するために、前記少なくとも一つの重要関心要素に適用された前記視覚効果の特性を変えること、又は、前記少なくとも一つの重要関心要素に第２の視覚効果を適用すること
を含む、視覚効果を適用すること
を実行させる、コンピュータ可読記憶媒体。
【請求項８】
前記装置に前記視覚提示を生成する（１０８）ことを実行させることは、前記複雑系のデジタル三次元（３Ｄ）モデルの少なくとも一部分の視覚提示を生成することを実行させることを含み、前記視覚効果は、前記複数の関心要素に対応する前記３Ｄモデルの３Ｄオブジェクトに適用される、請求項７に記載のコンピュータ可読記憶媒体。
【請求項９】
前記複数の関心要素は、前記複数の診断手順のうちの第１のものに関与するか、又はその影響を受ける第１の一又は複数の関心要素と、前記複数の診断手順のうちの第２のものに関与するか、又はその影響を受ける第２の一又は複数の関心要素とを含み、
前記装置に前記視覚効果を適用する（１１０）ことを実行させることは、前記第１の一又は複数の関心要素と前記第２の一又は複数の関心要素とを互いから区別するために、前記第１の一又は複数の関心要素と前記第２の一又は複数の関心要素とで、適用される前記視覚効果の特性を変えることを実行させることを含む、請求項７に記載のコンピュータ可読記憶媒体。
【発明の詳細な説明】
【技術分野】
【０００１】
本開示は広く言えば、複雑系の解析に関し、具体的には、診断手順に関与するか、又はその影響を受ける一又は複数の要素を区別するために視覚効果が適用される複雑系の要素を描写するデジタルメディアの視覚提示を通じての、複雑系の診断解析に関する。
【背景技術】
【０００２】
航空宇宙産業、自動車産業、海洋産業及び電気産業におけるもののような、多くの複雑系の設計の進歩は、数多くの相互依存システムの発展をもたらした。一又は複数のこれらのシステムの障害又は不具合は、多くの場合、直接的又は間接的に、他のシステムに影響を与える。加えて、これらの障害／不具合、及び、それらの直接的並びに間接的な影響の診断解析及び他の解析は、多くの場合、認可プロセスの一部として必要になる。典型的には、かかる解析は、かかる解析を促進することが可能なシステム又はプロセスを参照することなしに、一群のシステム解析者によって手作業で実行される。
【０００３】
連合システムを備えた航空機プログラムでは、障害解析は単純でありえ、通常、容易に理解されるカスケーディングな（連鎖的な）航空機レベル効果を有する、限定された数のシステムにしか関与しない。その一方で、高集積構造を備えた複雑航空機システム上で実行される場合、障害解析は、事象の全体像を把握することなくして容易には理解されない複雑なカスケーディング効果及び航空機レベルの影響を有する、多くのシステムに関与しうる。
【０００４】
現在、特定の航空機システムの障害解析を実行するための様々なシステム及び方法が存在している。しかし、これらの現行のシステム及び方法は、特定の障害／不具合に関与するか、又はその影響を受ける全てのシステム、或いは、複数の障害／不具合の根本原因である可能性がより高い任意の重要システムに、常に注意を喚起する訳ではない。ゆえに、これらのシステム及び方法はまた、容易に解釈可能な様態では、障害解析を実行するためのデータを視覚的に提示しない。従って、上述の問題のうちの少なくともいくつか、並びに起こりうる他の問題を勘案する、システム及び方法を有することが望ましいと言える。
【発明の概要】
【０００５】
本開示の例示的な実行形態は、広く言えば、複数の要素から成る複雑系の関心要素の可視化及び診断解析のためのシステムを実施する装置、及び、それに対応する、方法とコンピュータ可読記憶媒体とを対象とする。例示的な実行形態は、複雑系の一又は複数の物理インスタンス上の一又は複数の要素に関与しうる問題または局所的な動向の解決のために有益な情報を集めうる。例示的な実行形態は次いで、その情報を、それが容易に理解され、迅速に解析されうるように、複雑系の三次元（３Ｄ）環境に関連付けられうる、情報価値のある視覚的な様態で表示しうる。
【０００６】
航空機のような複雑系は複数の要素から成り、時には、これらの要素のうちの一又は複数は、診断プロセスに関与するか、又はその影響を受け、従って関心対象と見なされうる。例示的な実行形態により、複雑系の少なくとも一部分の視覚提示が生成され得る。視覚提示は、複雑系の関心要素及び一又は複数のそれ以外の要素を描写しうる。視覚提示が生成される前、後及び生成されている間に、視覚提示によって描写された関心要素をそれ以外の要素から区別するために、視覚効果が関心要素に適用されうる。これは更に、関心要素の診断解析を促進し、いくつかの例においては、複雑系の障害要素の解消を促進しうる。
【０００７】
例示的な実行形態の一態様により、装置は、プロセッサと、実行可能指令を記憶するメモリとを備え、その実行可能指令が、プロセッサによる実行に応答して、装置にいくつかの機能又は動作を少なくとも実行させる。この態様により、装置は、複数の要素から成る航空機のような複雑系の物理インスタンスに関するデータを受信し、処理するように実行されうる。ここで、複雑系に対する保守メッセージ、及び、保守メッセージについて規定され、かつ保守メッセージに関連付けられた診断手順を識別するために、データは受信及び処理されてよく、かかる診断手順は、複数の要素のうちの一又は複数の関心要素に関与するか、又は影響を与えうる。いくつかの例においては、複数の保守メッセージ及び診断手順が識別される。これらの例では、診断手順は、複数の関心要素に関与するか、又はそれらに影響を与えうる。
【０００８】
装置は、複雑系の少なくとも一部分の視覚提示を生成するように実行されてよい。視覚提示はデジタルメディアであり、複数の要素のうちの関心要素及び一又は複数のそれ以外の要素を描写する。装置は、視覚提示によって描写された関心要素をそれ以外の要素から区別するために、視覚提示によって描写された関心要素に視覚効果を適用するように実行されうる。いくつかの例においては、視覚提示は、複雑系の三次元（３Ｄ）モデルの少なくとも一部分でありうる。これらの例では、視覚効果は、関心要素に対応する３Ｄモデルの３Ｄオブジェクトに適用されうる。
【０００９】
いくつかの例においては、複数の関心要素は、診断手順のうちの第１のものに関与するか、又はその影響を受ける第１の一又は複数の関心要素と、診断手順のうちの第２のものに関与するか、又はその影響を受ける第２の一又は複数の関心要素とを含みうる。これらの例では、装置は、第１の関心要素と第２の関心要素とを互いから区別するために、第１の関心要素と第２の関心要素とで、適用される視覚要素の特性を変えるように実行されうる。
【００１０】
いくつかの例においては、メモリは、更なる実行可能指令であって、プロセッサによる実行に応答して、複数の関心要素から重要関心要素を識別するために、装置に複数の関心要素を更に解析することを実行させる、更なる実行可能指令を記憶しうる。これらの例では、装置は、複数の関心要素のうちの重要関心要素をそれ以外の関心要素から更に区別するために、重要関心要素に適用された視覚効果の特性を変えるか、又は、重要関心要素に第２の視覚効果を適用するように実行されうる。
【００１１】
いくつかの更なる例においては、装置が複数の関心要素を解析するように実行されることは、一又は複数のエッジ（グラフ理論の辺）によって接続された複数の頂点を含むグラフを、生成及び解析するように実行されることを含みうる。グラフでは、頂点は複数の関心要素のうちのそれぞれの要素に対応することがあり、かつ、エッジは（頂点に対応する）要素間のそれぞれの接続を表しうる。したがって、グラフは、複数の頂点から一つの重要頂点を識別するために解析されてよく、その際、重要頂点は複数の関心要素のうちの重要関心要素に対応している。
【００１２】
例示的な実行形態の他の態様では、複雑系の関心要素の可視化及び解析のために、方法とコンピュータ可読記憶媒体とが提供される。本書で説明されている特徴、機能及び利点は、様々な例示的な実行形態において単独で実現可能であるか、又は、更なる詳細が後述の説明及び図面を参照して理解されうる、更に別の例示的な実行形態において組み合わされうる。
【００１３】
上述のように本開示の例示的な実施形態を一般的な用語で説明しており、ここで添付図面を参照するが、これらの図面は必ずしも正寸で描かれている訳ではない。
【図面の簡単な説明】
【００１４】
【図１】例示的な実行形態による可視化・診断解析システムの図である。
【図２】図２Ａから図２Ｄは、例示的な実行形態による、複雑系の接続された要素に対応するグラフを示す。
【図３】本開示の例示的な実行形態による、既定の可視領域を有するＧＵＩ内に表示されうる、ユーザによって操作されうるページの、例示的なレイアウトを表す。
【図４】本開示の例示的な実行形態による、既定の可視領域を有するＧＵＩ内に表示されうる、ユーザによって操作されうるページの、例示的なレイアウトを表す。
【発明を実施するための形態】
【００１５】
本開示のいくつかの実行形態が、添付図面を参照して、以下でより詳しく説明されるが、添付図面には、本開示の実行形態の全てではなく、一部しか示されていない。実際のところ、本開示の様々な実行形態は、多くの異なる形態で具現化されることが可能であり、本書に明記される実行形態に限定されると解釈すべきではない。むしろ、本開示が包括的で完全なものとなるように、かつ、当業者に本開示の範囲を十分に伝えるように、これらの例示的な実行形態が提供されている。例えば、特に明記されない限り、何かが「第１の」、「第２の」等のものであるという表現は、特定の順番を示すと解釈すべきではない。また、（特に明記されない限り）何か別のものの上にあると説明されうるものは、その代わりに下にあることもあり、逆もまた然りである。同様に、何か別の物の左にあると説明されうる物は、その代わりに右にあることもあり、逆もまた然りである。全体を通して、類似の参照番号は類似の要素を表している。
【００１６】
本開示の例示的な実行形態は、広く言えば、複雑系の解析に関する。複雑系とは、一又は複数の構成要素、サブシステムなど（各々が広く言えば「サブシステム」と称される）から成る航空機のような、多数の物理的構造体のうちの任意のものを表すことがあり、ここで、各サブシステムは一又は複数の部品から成り、各部品は一又は複数の特徴を含む。この意味において、複雑系の部品は、多数のサブシステムに組み立てられ、次いで、複雑系に組み立てられうる。航空機との関連では、一又は複数の部品又はサブシステムは、作業ライン交換可能ユニット（ＬＲＵ）と称されることが多い、航空機のモジュール構成要素として設計されることがあり、単一の航空機は、多数のＬＲＵ、及び他の部品又はサブシステムを含みうる。いずれの複雑系自体も、又はそのサブシステム、（サブシステムの）部品、（部品の）特徴などのいずれも、時には、複雑系の「要素」と総称されうる。
【００１７】
より具体的には、様々な例示的な実行形態は、診断手順に関与するか、又はその影響を受ける一又は複数の要素を区別するために視覚効果が適用される複雑系の要素を描写するデジタルメディアの視覚提示を通じての、複雑系の診断解析に関する。例示的な実行形態は、主として、航空宇宙応用に関連して説明される。しかし、例示的な実行形態は、航空宇宙産業とそれ以外の両方における他の様々な応用に関連して利用されうることを、理解すべきである。また更に、特別の定めのない限り、「データ」「コンテンツ」「情報」という用語、及び類似の用語は、時に互換可能に使用されうることを、理解すべきである。
【００１８】
ここで図１を参照するに、本開示の例示的な実行形態による、可視化・診断解析システム１００を示している。システムは、二次元（２Ｄ）又は三次元（３Ｄ）でありうる、複雑系の要素を描写するデジタルメディアの視覚提示に関する一又は複数の機能又は動作を実行するための、（各々が個別のシステムである）多数の異なるサブシステムのうちの任意のものを含みうる。図示するように、例えば、システムは、関心要素識別装置１０２、情報システム１０４、１０６、モデルビューワ１０８、視覚効果アプリケータ１１０、及び／又は、重要要素解析システム１１２を含みうる。
【００１９】
可視化・診断解析システム１００の一部として示されているが、関心要素識別装置１０２、情報システム１０４、１０６、モデルビューワ１０８、視覚効果アプリケータ１１０、及び／又は重要要素解析システム１１２のうちの一又は複数は、その代わりに、可視化・診断解析システムから分離されてはいるが、通信可能でありうる。サブシステムのうちの一又は複数は、サブシステムのうちの別のものとは関係なく、別個の一システムとして機能又は動作しうることも、理解すべきである。また更に、可視化・診断解析システムは、一又は複数の追加的又は代替的なシステム、サブシステムなどを含みうるか、又はそれらに接続されうることを、理解すべきである。好適なシステムの一例は、集積型可視化・解析システムであり、かかる集積型可視化・解析システムは、本書と同時に出願された「Ｖｉｓｕａｌｉｚａｔｉｏｎ  ａｎｄ  Ａｎａｌｙｓｉｓ  ｏｆ  ａ  Ｔｏｐｉｃａｌ  Ｅｌｅｍｅｎｔ  ｏｆ  ａ  Ｃｏｍｐｌｅｘ  Ｓｙｓｔｅｍ（複雑系の問題要素の可視化及び解析）」と題された、米国特許出願第１４／４６４，８９６号で開示されており、その内容は、全て参照により本書に組み込まれる。
【００２０】
ここで可視化・診断解析システム１００のサブシステムについて考えるに、関心要素識別装置１０２は、複数の要素から成る航空機のような複雑系の物理インスタンスに関するデータを、受信し、処理するよう設定されうる。いくつかの例においては、データは、物理インスタンスに関するデータ、及び、複雑系に関連する設計データ（物理インスタンスに特有のものである必要はない）を含みうる。関心要素識別装置は、データを受信し、処理して、複雑系に対する保守メッセージを識別しうる。関心要素識別装置は、保守メッセージについて規定され、かつ、保守メッセージに関連付けられた診断手順を識別することも可能であり、診断手順は、複数の要素のうちの一又は複数の関心要素に関与するか、又は影響を与えうる。いくつかの例においては、複数の保守メッセージ及び診断手順が識別されうる。これらの例では、診断手順は、複数の関心要素に関与するか、又は影響を与えうる。
【００２１】
いくつかの例においては、物理インスタンスに関連するデータは、複雑系における一又は複数の障害、又は他の事象に関連するデータを含んでよく、障害とは、複雑系における不具合、劣化、又は障害を表しうる。いくつかの例においては、データは一又は複数の保守メッセージを含みうるか、又は表示しうる。或いはデータは、一又は複数の保守メッセージを識別するために、関心要素識別装置１０２による解析が可能でありうる。これらの保守メッセージは、複雑系のために事前に規定されていてよく、要素レベルの障害、及び様々な事例においては、要素レベルの障害の一又は複数の影響を、表示又は表現（これらの用語は本書では同義語であり、時に「表示する」と総称される）しうる。要素レベルの障害の影響は、一又は複数の直接的な影響、及び様々な事例においては、一又は複数の間接的な影響を含むことがあり、それらの影響の各々は、それ自体を障害として表出しうる（そして、それ自体が保守メッセージによって表示されうる）。航空機では、例えば、航空機の電子バス又はナビゲーションシステムに障害が発生しうる。この障害は、次いで、油圧への影響、ナビゲーションへの影響及び／又は航空電子工学的な影響といった、直接的な影響をもたらすことがあり、それらのうちの一又は複数のいずれもが、一又は複数の間接的な影響をもたらしうる。例えば、油圧への影響は、飛行制御への影響をもたらし、それは次いで、機体振動への影響をもたらしうる。
【００２２】
設計データは、例えば、複雑系における障害に対処するために実行されうる、一又は複数の診断手順に関連するデータを含んでよく、診断手順は、いくつかの例では、それぞれの保守メッセージについて規定されて、それぞれの保守メッセージに関連付けられうる。診断手順は、複雑系の一又は複数の要素との（ユーザ）相互作用に関与しうる、講じられうる一又は複数の措置を含みうる。これらの要素は、関心要素として識別されうる。また、これらの要素は、障害要素を含むか、障害要素を識別するために確認されるか、若しくは相互に作用しあう一又は複数の要素を含みうる。これらの関心要素は診断手順に関与すると見なされ、それらのうちの少なくともいくつかは、一又は複数の中間要素を通じて、直接的又は間接的に、互いに接続されていてよい。したがって、一又は複数の中間要素は、診断手順の影響を受けうる。要素間の接続は、物理接続、電気接続、油圧接続、気流接続、データ通信接続、流体接続などといった、いくつかの好適な種類のうちの任意のものでありうる。いくつかの例においては、接続は、複雑系内の要素の共通機能又は関連機能によって接続された要素の場合のような、論理接続でありうる。
【００２３】
診断手順に関与する要素、ひいては診断手順の影響を受けうる要素の間の接続の、関心要素識別装置１０２による決定を促進するために、いくつかの例においては、設計データは、複雑系、及びその要素のうちの様々なものを表現するデータも含みうる。この設計データは、例えば、一又は複数のモデル、概略図などを含みうる。加えて、又は代替的には、例えば、設計データは、要素間の論理接続を表現しうる論理インターフェース情報を含むことがあり、論理インターフェース情報は、それぞれの要素間の論理インターフェースによって反映されうる。好適な論理インターフェース情報の一例は、インターフェース制御ドキュメント（ＩＣＤ）によって提供されるものである。更に、例えば、設計データは、一又は複数の複雑系レベルの機能、及び、それぞれの機能を実施する、複雑系の一又は複数の要素のリストを含みうる。
【００２４】
データから関心要素を識別するためのデータを取得するために、関心要素識別装置１０２は、時に情報システムと総称される、コンピュータに基づくいくつかの異なるデータソース、情報システムなどのうちの任意のものに接続されうる。図示するように、例えば、問題要素識別装置は、物理インスタンスに関連するデータを収集するよう設定された一又は複数の情報システム１０４、及び、複雑系に関連するが、物理インスタンスに特有のものである必要はない設計データを収集するよう設定された一又は複数の情報システム１０６に接続されうる。これらの情報システムは、同様に、いくつかの異なるソースのうちの任意のものからデータを受信しうる。例えば、情報システムは、データ入力技術などを通じて、オペレータからデータを直接受信しうる。物理インスタンスに関するデータに特有の別の例では、情報システムは、複雑系又はその要素のうちの１つに障害が発生した場合などに信号を伝送するよう設定された一又は複数のセンサ又は埋設システムを備えた複雑系の物理インスタンスから、データを直接受信するよう設定されうる。
【００２５】
物理インスタンスに関するデータに特異的な更に別の例では、情報システム１０４は、ｅメールメッセージの形態などで、インターネットフォーラム、ウェブログ、ソーシャルブログ、マイクロブログ、ｗｉｋｉ、ソーシャルネットワークなどの形態のユーザ作成コンテンツのアイテムといった、物理インスタンスに関連するコンテンツを収集するよう設定された、いくつかの他の情報システムのうちの任意のものから、データを受信しうる。この別の例では、コンテンツは、診断手順と関心要素がそこから識別されうる保守メッセージを、それ自体で明確に表示しうる。或いはコンテンツは、例えば、コンテンツが関連しうる最も関連性が高い保守メッセージを識別するためのコンテンツの解析を通じて、情報システムによって保守メッセージを識別するために解析されうるコンテンツを含みうる。
【００２６】
関心要素識別装置１０２に加えて、可視化・診断解析システム１００は、複雑系の少なくとも一部分の視覚提示の形態のデジタルメディアを生成するよう設定され、かつ、複数の要素のうちの関心要素及び一又は複数のそれ以外の要素を描写する、ビューワを含みうる。いくつかの例においては、視覚提示は、複雑系の一部分の二次元（２Ｄ）画像でありうる。他の例では、図示するように、視覚提示は、３Ｄ  ＣＡＤ又は他の類似のモデル（時にソリッドモデルと称される）のような、複雑系のデジタル三次元（３Ｄ）モデルの少なくとも一部分でありうる。
【００２７】
一例では、３Ｄモデルは、複雑系を、エッジ（グラフ理論の辺）、面、点（例えば、頂点）などの「基本要素」の集合として表すことがあり、これらは、それぞれの複雑系の面の幾何形状、容積又は要素を反映するために、多角形又は数学的に導かれた他の構造体として配置されうる。複雑系は、「境界」表現、又は、複雑系が占める空間を画定する多角形の集合によって定義されることがあり、これらは、複雑系の各要素が占める空間を画定する多角形の部分集合を含みうる。多角形のこれらの部分集合の各々は、３Ｄモデルにおいて、複雑系の要素に対応する３Ｄオブジェクトと称されうる。いくつかの複雑系に関しては、３Ｄモデルが何十万個もの多角形を使用することがあり、それらは、数千の要素に対応する多角形の数千の部分集合（３Ｄオブジェクト）として配置されうる。
【００２８】
３Ｄモデルは、アートコンセプト、初期設計、公開済設計などといった、モデルの設計タイプを示しうる情報を含みうる。３Ｄモデルは、複雑系及び／又はその一又は複数の要素についての情報のリストに関する、上述したものに類似した情報（例えば、名称、番号、数量、ソース、位置、関連要素）を含みうる。３Ｄモデルは、また更に、いくつかの例においては３Ｄモデルと共に複雑系のモデルベース定義（ＭＢＤ）を構成しうる、追加情報を含みうる。例えば、３Ｄモデルは、幾何寸法と公差（ＧＤ＆Ｔ）、材料仕様、構成要素リスト、プロセス仕様、検査要件などの製品製造情報（ＰＭＩ）を含みうる。この情報は、複雑系がいかにして作製され、組み立てられ、操作され、整備されるべきかなどに関して開発者の意図を反映しうる、技術意図（ＥＩ）を伝えうる。様々な例において、この追加情報は、３Ｄモデル内で、又は、３Ｄモデルに関連付けられたメタデータ内で、直接提供されうる。
【００２９】
したがって、いくつかの例においては、ビューワは、例えば複雑系に関する更なる設計データの形態の情報システム１０６から、複雑系のデジタル３Ｄモデルを受信することが可能な、モデルビューワ１０８でありうる。モデルビューワは、３Ｄモデルを解釈することが可能であり、例えば好適なＧＵＩにおいて、３Ｄモデルの少なくとも一部分の視覚提示を生成するよう設定されうる。モデルビューワは、ＣＡＤビューワ、仮想現実モデリング言語（ＶＲＭＬ）ビューワ、Ｘ３Ｄビューワ、Ｊａｖａ  ３Ｄビューワ、ＱｕｉｃｋＴｉｍｅ仮想現実（ＶＲ）すなわちＱＴＶＲビューワ、統合ビジョンツールキット（ＩＶＴ）ビューワなどに用いられるもののような、いくつかの技術に応じて視覚提示を生成するよう設定されうる。
【００３０】
上記のように、複雑系の少なくとも一部分の視覚提示は、複雑系の関心要素及びそれ以外の要素を描写しうる。可視化・診断解析システム１００は、関心要素識別装置１０２に接続され、かつ、視覚提示によって描写された関心要素をそれ以外の要素から区別するために、視覚提示によって描写された関心要素に視覚効果を適用するよう設定された、視覚効果アプリケータ１１０を含みうる。視覚効果は、いくつかの異なる効果のうちの任意のものでありうる。好適な視覚効果の例は、関心要素に対応する一又は複数の３Ｄオブジェクトを囲む目立つ色の不透明若しくは半透明のアウトライン、又は、関心要素の３Ｄオブジェクト全体に適用される目立つ色の不透明若しくは半透明の塗りつぶしを含む。関心要素は、関心要素の識別子（例えば部品番号）による等の、いくつかの異なる様態のうちの任意の様態で、それらの３Ｄオブジェクトに連動しうる。
【００３１】
複数の保守メッセージ及び診断手順を伴ういくつかの例においては、関心要素は、診断手順のうちの第１のものに関与するか、又はその影響を受ける第１の一又は複数の関心要素と、診断手順のうちの第２のものに関与するか、又はその影響を受ける第２の一又は複数の関心要素とを含みうる。これらの例では、視覚効果アプリケータ１１０は、第１と第２の関心要素を互いから区別するために、第１と第２の関心要素とで、適用される視覚要素の特性を変えるよう設定されうる。色付きのアウトライン又は塗りつぶしの場合には、例えば、色相、明度、及び／又は彩度などの、色の一又は複数の特性が、第１と第２の関心要素とで変わりうる。
【００３２】
様々な事例において、一又は複数の重要関心要素を反映しうるような、関心要素に適用される視覚効果における追加情報を伝えることが、望ましいことがある。したがって、いくつかの例においては、可視化・診断解析システム１００は、関心要素識別装置１０２及び視覚効果アプリケータ１１０に接続され、かつ、それら向けに設定された、重要要素解析システム１１２を更に含みうる。重要解析システムは、複数の関心要素から重要関心要素を識別するために、複数の関心要素を更に解析するよう設定されうる。
【００３３】
重要要素解析システム１１２は、グラフベース技術に従うもののような、いくつかの異なる様態のうちの任意の様態で、関心要素を解析しうる。いくつかの例においては、重要要素解析システムは、一又は複数のエッジによって接続された複数の頂点を含むグラフを、生成及び解析するよう設定されうる。グラフでは、頂点は複数の関心要素のうちのそれぞれの要素に対応することがあり、かつ、エッジは（頂点に対応する）要素間のそれぞれの接続を表しうる。いくつかの例においては、エッジは、頂点が対応する様々な要素の間の接続における変動を反映するために、重み付けされうる。例えば、エッジは、接続された要素間のいくつかの中継点を反映するために、重み付けされうる。したがって、重要要素解析システムは、複数の頂点から一つの重要頂点を識別するためにグラフを解析してよい。ここで、重要頂点は複数の関心要素のうちの重要関心要素に対応している。いくつかの例においては、この重要頂点は、他の頂点へのエッジの数が最大の頂点でありうる。或いは、いくつかの例においては、重要頂点は、他の頂点へのエッジの加重和が最大の頂点でありうる。
【００３４】
図２Ａ、２Ｂ、２Ｃ及び２Ｄは、例示的な実行形態の重要要素解析システム１１２によって生成されうる、様々なグラフ２００ａ、２００ｂ、２００ｃ及び２００ｄを示している。図示するように、グラフは、一又は複数のエッジ２０４で接続された頂点２０２を含みうる。グラフ２００ａでは、頂点２０２’のうちの１つが他の頂点への最大数のエッジを有し、それによって、重要頂点として識別されることが可能であり、その頂点が対応する複雑系の要素は、それによって、重要関心要素として識別される。グラフ２０２ｂでは、頂点２０２’のうちの２つが、他の頂点への最大数のエッジを等しく有し、そのため、両方が重要頂点として識別され、かつ、それらの要素が重要関心要素として識別されうる。グラフ２０２ｃも、エッジの数が最大の一頂点を有し、そのため、その頂点とその要素とが重要と識別されうる。最後にグラフ２０２ｄでは、全ての頂点が等しい数のエッジを有している。ここでは、どの頂点も重要とは識別されえない。或いは、いくつかの例においては、グラフ２０２ｄの全ての頂点が重要と識別されるが、その影響はほぼ同一である。
【００３５】
重要要素解析システム１１２が重要関心要素を識別する具体的手法にかかわらず、視覚効果アプリケータ１１０は次いで、関心要素及びそれ以外の要素を描写する、複雑系の一部分の視覚提示における重要関心要素に対処しうる。例えば、視覚効果アプリケータは、重要関心要素に適用される視覚効果の特性を変えうる（例えば、色塗りつぶしの色相を変える）。これに加えて、又はこれに代えて、例えば、視覚効果アプリケータは、複数の関心要素のうちの重要関心要素をそれ以外の関心要素から更に区別するために、重要関心要素に第２の視覚効果（色付きのアウトラインなど）を適用しうる。
【００３６】
上述のように、可視化・診断解析システム１００は、上記で引用され、組み込まれた、「Ｖｉｓｕａｌｉｚａｔｉｏｎ  ａｎｄ  Ａｎａｌｙｓｉｓ  ｏｆ  ａ  Ｔｏｐｉｃａｌ  Ｅｌｅｍｅｎｔ  ｏｆ  ａ  Ｃｏｍｐｌｅｘ  Ｓｙｓｔｅｍ（複雑系の問題要素の可視化及び解析）」と題された米国特許出願第１４／４６４，８９６号で開示された、集積型可視化・解析システムのような一又は複数の追加の又は代替的なシステム、サブシステムなどを含むか、又はそれらに接続されうる。集積型可視化・解析システムは通常、複雑系の物理インスタンスと、複雑系の３Ｄモデルの視覚提示と、少なくともいくつかの要素を描写する２Ｄ画像を少なくとも一部分に含むパノラマ配置されたドキュメント構成要素のレイアウトとに関するデータを集積するよう設定されうる。この集積を通じて、集積型可視化・解析システムは、可視化及び解析のための、複雑系の視覚的描写を生成しうる。視覚的描写において、３Ｄモデル又は一又は複数の２Ｄ画像は、複雑系の要素を描写しうる。可視化及び診断解析システムは、それらの要素に関して関心要素を識別しうる。可視化・診断解析システムは、次いで、視覚的描写内の関心要素であって、複雑系に関する他のデータと共に視覚的描写内に提供された場合に複雑系の解析を促進しうる関心要素に、視覚効果を適用しうる。
【００３７】
本開示の例示的な実行形態をまた更に示すために、ここで、航空機の視覚的描写の少なくとも一部分が表示されている既定の可視領域３００を有するＧＵＩ内に表示されうるページの例示的なレイアウトを示す、図３及び図４を参照する。図示するように、可視領域は、情報に基づく視覚的描写の構成要素が表示されうる、複数の部分、フレームなどに区分されうる。例えば、可視領域は、航空機の物理インスタンスに関するデータが表示されうる第１部分３０２を含みうる。図示するように、例えば、このデータは、契約部品リストから生成された部品のリストを含みうる。可視領域は、航空機の３Ｄモデルの視覚提示、又は航空機の要素を図示するページのレイアウトのいずれか、或いはその両方が表示されうる第２部分３０４と、航空機の要素に関する追加データを表示しうる第３部分３０６とを含みうる。図示するように、第２部分は、航空機の３Ｄモデルの視覚提示を表示している。
【００３８】
第３部分３０６は、３Ｄモデルの視覚提示が第２部分３０４に表示されている航空機についての、論理データを表示しうる。このデータは、例えば、一又は複数のシステム、電線及び電気設備（例えばボックス）を含みうる。これらのシステム、電線及び電気設備は、電気的に接続され、従って、特定の保守メッセージについて規定され、かつ、特定の保守メッセージに関連付けられた診断手順に関与する関心要素を構成しうる。トレースされる電線は、論理データ内に示されうる。これは、保守メッセージ及びそれに関連付けられた診断手順についての、ユーザによる一層の理解を可能にしうる。
【００３９】
３Ｄモデルの視覚提示において、色は、関心対象として識別された航空機の要素のいくつかに適用されることがあり、色相、又は他の何らかの色の特性は、重要と識別される一又は複数の関心要素ごとに変更されうる。図３に示すように、例えば、色が適用された関心要素３０８は、診断手順に関与するか、又はその影響を受ける要素を反映しうる。色により、これらの要素は、それ以外の描写された航空機の要素３１０から区別されうる。
【００４０】
図３に示すように、関心要素３０８は、航空機の電池及び充電器である。それ以外では、３Ｄモデルは、航空機内部で信号をルーティングする遠隔データ集信装置（ＲＤＣ）、並びに、様々な要素を駆動するソフトウェアを作動させる電気モジュールを描写している。関心要素は、電気的に接続されたものであり、従って、不具合トラブルシューティング手順（診断手順）に関与しうる。この意味において、この手順は、電池及び電気モジュール上のコネクタをコールしうるが、いずれか又は両方に不具合の可能性があるＲＤＣ又は充電器を参照することはない。
【００４１】
ＧＵＩはまた、情報に基づく構成要素をナビゲートするための、一又は複数の選択されたナビゲーション選択肢を提示しうる。この実施例では、関心要素が描写されている部分のような、３Ｄモデルの視覚提示の一部分に注目するために、３Ｄモデルの視覚提示を動かし、かつ／又は、そのサイズを大きくするように、制御３１２の形態でパンとズームのナビゲーション選択肢が提示されうる。換言すると、ユーザは、ＧＵＩの可視領域のより広い部分が関心要素で占められるように、３Ｄモデルの視覚提示を動かし、かつ、それにズームするために、前述の制御を作動させうる。図４は、この様態で視覚提示をナビゲートした結果の一例を示している。
【００４２】
本開示の例示的な実行形態により、可視化・診断解析システム１００と、関心要素識別装置１０２、情報システム１０４、１０６、モデルビューワ１０８、視覚効果アプリケータ１１０、及び重要要素解析システム１１２を含む可視化・診断解析システムのサブシステムは、様々な手段によって実施されうる。システム、サブシステム、及びそれらのそれぞれの要素を実施するための手段は、単独のハードウェア、或いは、一又は複数のコンピュータプログラムコード指令、プログラム指令、又はコンピュータ可読記憶媒体からの実行可能コンピュータ可読プログラムコード指令の指示下にあるハードウェアを含みうる。
【００４３】
一例では、本書で図示され、説明されているシステム、サブシステム、及びそれぞれの要素として機能するか、若しくはそれらを実施するように設定される、一又は複数の装置が提供される。２つ以上の装置を伴う例では、それぞれの装置は、例えば有線又は無線ネットワークなどを介して直接的或いは間接的に、いくつかの異なる様態で、互いに接続されうるか、若しくは通信可能でありうる。
【００４４】
通常、本開示の例示的な実行形態の装置は、一又は複数の固定的な又は持ち運び可能な電子機器を備えるか、含むか、或いはかかる電子機器において具現化されうる。好適な電子機器の例は、スマートフォン、タブレット型コンピュータ、ラップトップコンピュータ、デスクトップコンピュータ、ワークステーションコンピュータ、サーバコンピュータなどを含む。装置は、例えばメモリ（例えば、記憶装置）に接続されたプロセッサ（例えば、プロセッサユニット）といった、一又は複数の、いくつかの構成要素の各々を含みうる。
【００４５】
プロセッサは通常、例えば、データ、コンピュータ可読プログラムコード、指令等（総体的に「コンピュータプログラム」、例えばソフトウェア、ファームウェアなど）、及び／又は、他の好適な電子情報といった情報を処理することが可能な、任意のハードウェアである。より具体的には、例えば、プロセッサは、プロセッサに搭載した状態で記憶された、若しくは（同一の又は別の装置の）メモリに記憶された、コンピュータプログラムを実行するよう設定されうる。プロセッサは、特定の実行形態に応じて、いくつかのプロセッサ、マルチプロセッサコア、又は他の何らかの種類のプロセッサでありうる。更に、プロセッサは、単一のチップ上に一又は複数の二次プロセッサと共に主要プロセッサが存在する、いくつかのヘテロジニアスプロセッサシステムを使用して実施されうる。別の例示的な実施例としては、プロセッサは同一の種類の複数のプロセッサを包含する対称型マルチプロセッサシステムでありうる。さらに別の例では、プロセッサは、一又は複数の特定用途向け集積回路（ＡＳＩＣ）、フィールドプログラマブルゲートアレイ（ＦＰＧＡ）などとして具現化されうるか、若しくはそれらを含みうる。このように、プロセッサは一又は複数の機能を実行するためのコンピュータプログラムを実行することが可能でありうるが、プロセッサの様々な例は、コンピュータプログラムの支援がなくとも、一又は複数の機能を実行することが可能でありうる。
【００４６】
メモリは通常、一時的に及び／又は恒久的に、例えばデータ、コンピュータプログラム及び／又は他の好適な情報などの情報を記憶することが可能な、任意のハードウェアである。メモリは、揮発性の及び／又は不揮発性のメモリを含み、かつ、固定的又は取り外し可能でありうる。好適なメモリの例は、ランダムアクセスメモリ（ＲＡＭ）、読出し専用メモリ（ＲＯＭ）、ハードドライブ、フラッシュメモリ、サムドライブ、取り外し可能なコンピュータディスケット、光ディスク、磁気テープ又はそれらの何らかの組み合わせを含む。光ディスクには、コンパクトディスク−読出し専用メモリ（ＣＤ−ＲＯＭ）、コンパクトディスク−読出し／書込み（ＣＤ−Ｒ／Ｗ）、ＤＶＤなどが含まれうる。様々な事例において、メモリは、コンピュータ可読記憶媒体と称されることがあり、情報を記憶することが可能な非一時的デバイスとして、ある場所から別の場所へ情報を運搬することが可能な一時的電気信号などのコンピュータ可読伝送媒体とは区別可能でありうる。本書で説明されるようなンピュータ可読媒体は、通常、コンピュータ可読記憶媒体又はコンピュータ可読伝送媒体を表しうる。
【００４７】
メモリに加えて、プロセッサも、情報を表示し、伝送し、及び／又は受信するための一又は複数のインターフェースに接続されうる。インターフェースは、通信インターフェース（例えば、通信ユニット）、及び／又は一又は複数のユーザインターフェースを含みうる。通信インターフェースは、他の装置、ネットワークなどへ情報を伝送し、及び／又はそれらから情報を受信するよう設定されうる。通信インターフェースは、物理的な（有線の）及び／又は無線の通信リンクによって、情報を伝送及び／又は受信するよう設定されうる。好適な通信インターフェースの例は、ネットワークインターフェースコントローラ（ＮＩＣ）、無線ＮＩＣ（ＷＮＩＣ）などを含む。
【００４８】
ユーザインターフェースは、ディスプレイ及び／又は一又は複数のユーザ入力インターフェース（例えば、入出力ユニット）を含みうる。ディスプレイは、ユーザに情報を提示するか、又は他の方法で表示するよう設定されてよく、好適な実施例としては液晶ディスプレイ（ＬＣＤ）、発光ダイオードディスプレイ（ＬＥＤ）、プラズマディスプレイパネル（ＰＤＰ）などを含む。ユーザ入力インターフェースは、有線又は無線であり、かつ、処理、記憶及び／又は表示用などの装置にユーザからの情報を受け入れるよう設定されうる。ユーザ入力インターフェースの好適な例は、マイク、画像又はビデオ捕捉デバイス、キーボード又はキーパッド、ジョイスティック、（タッチスクリーンとは別個の、又はタッチスクリーンに組み込まれた）タッチ感応サーフェス、生体認証センサなどを含む。ユーザインターフェースは、プリンタ、スキャナなどといった周辺機器と通信するための一又は複数のインターフェースを更に含みうる。
【００４９】
上述のように、プログラムコード指令は、本書で説明されているシステム、サブシステム及びそれらの要素の機能を実施するために、メモリに記憶され、かつ、プロセッサにより実行されうる。理解されるように、任意の好適なプログラムコード指令は、特定の機器を作製するために、コンピュータ可読記憶媒体からコンピュータ又は他のプログラマブル装置に読み込まれ、それによってその特定の機器が、本書で特定される機能を実施する手段となる。これらのプログラムコード指令はまた、コンピュータ、プロセッサ、又は他のプログラマブル装置に特定の様態で機能するよう指示し、それによって、特定の機器又は特定の製造品を作製することが可能な、コンピュータ可読記憶媒体に記憶されうる。コンピュータ可読記憶媒体に記憶された指令は製造品を作製することが可能であり、この製造品は、本書で説明されている機能を実施するための手段となる。プログラムコード指令は、コンピュータ、コンピュータ、プロセッサ又は他のプログラマブル装置上で、又はそれらによって実行されるべき動作を実行するようにコンピュータ、プロセッサ又は他のプログラマブル装置を設定するために、コンピュータ可読記憶媒体から読み出され、かつ、コンピュータ、プロセッサ又は他のプログラマブル装置に読み込まれうる。
【００５０】
１つの指令が同時に読み出され、読み込まれ、かつ実行されるように、プログラムコード指令の読み出し、読み込み及び実行は連続して実行されうる。いくつかの例示的な実行形態では、複数の指令をまとめて読み出し、読み込み、かつ／又は実行するように、読み出し、読み込み、及び／又は実行は、並行して実行されうる。コンピュータ、プロセッサ、又は他のプログラマブル装置により実行される指令が、本書で説明されている機能を実施するための動作を提供するように、プログラムコード指令の実行により、コンピュータ実装されるプロセスが生成されうる。
【００５１】
プロセッサによる指令の実行、又は、コンピュータ可読記憶媒体での指令の記憶により、特定の機能を実行するための動作の組み合わせがサポートされる。一又は複数の機能、及び機能の組み合わせは、特殊用途ハードウェアに基づくコンピュータシステム、及び／又は、特定の機能を実行するプロセッサ、或いは、特殊用途ハードウェアとプログラムコード指令との組み合わせによって実施されうることも、理解されよう。
【００５２】
下記の条項により、追加的な代替機構も説明される。
【００５３】
条項１．複雑系の関心要素の可視化及び解析のためのシステムを実施する装置であって、プロセッサと、実行可能指令を記憶するメモリとを備え、その実行可能指令が、プロセッサによる実行に応答して、装置に少なくとも、複数の要素から成る複雑系の物理インスタンスに関するデータを受信及び処理することであって（１０２）、データは、複雑系に対する保守メッセージを識別するために受信及び処理され、診断手順が保守メッセージについて規定され、かつ保守メッセージに関連付けられ、診断手順は、複数の要素のうちの一又は複数の関心要素に関与するか、又は影響を与えるような、受信及び処理することと、
複雑系の少なくとも一部分の視覚提示を生成することであって（１０８）、視覚提示は、デジタルメディアであり、かつ、複数の要素のうちの一又は複数の関心要素及び一又は複数のそれ以外の要素を描写するような、視覚提示を生成することと、視覚提示によって描写された一又は複数の関心要素を一又は複数のそれ以外の要素から区別するために、視覚提示によって描写された一又は複数の関心要素に視覚効果を適用すること（１１０）を実行させる、装置。
【００５４】
条項２．装置が視覚提示を生成するように実行される（１０８）ことは、複雑系のデジタル三次元（３Ｄ）モデルの少なくとも一部分の視覚提示を生成するように実行されることを含み、視覚効果は一又は複数の関心要素に対応する３Ｄモデルの３Ｄオブジェクトに適用される、条項１に記載の装置。
【００５５】
条項３．保守メッセージ及び診断手順は、複数の保守メッセージ及び複数の診断手順であり、一又は複数の関心要素は、複数の診断手順に関与するか、又はその影響を受ける複数の関心要素である、条項１に記載の装置。
【００５６】
条項４．複数の関心要素は、複数の診断手順のうちの第１のものに関与するか、又はその影響を受ける第１の一又は複数の関心要素と、複数の診断手順のうちの第２のものに関与するか、又はその影響を受ける第２の一又は複数の関心要素とを含み、装置が視覚効果を適用するように実行される（１１０）ことは、第１の一又は複数の関心要素と第２の一又は複数の関心要素とを互いから区別するために、第１の一又は複数の関心要素と第２の一又は複数の関心要素とで、適用される視覚要素の特性を変えるように実行されることを含む、条項３に記載の装置。
【００５７】
条項５．メモリは、更なる実行可能指令を記憶し、更なる実行可能指令は、プロセッサによる実行に応答して、装置に更に、
複数の関心要素から重要関心要素を識別するために、複数の関心要素を解析することを実行させ、
装置が視覚効果を適用するように実行される（１１０）ことは、複数の関心要素のうちの重要関心要素をそれ以外の関心要素から更に区別するために、重要関心要素に適用された視覚効果の特性を変えるように実行されること、又は、重要関心要素に第２の視覚効果を適用するように実行されることを含む、条項３に記載の装置。
【００５８】
条項６．装置が複数の関心要素を解析するように実行される（１１２）ことは、少なくとも、一又は複数のエッジによって接続された複数の頂点を含むグラフを生成するように実行されることであって、複数の頂点は、複数の関心要素のうちのそれぞれの要素に対応し、一又は複数のエッジは、複数の要素間の一又は複数接続のそれぞれを表すような、グラフを生成するように実行されることと、複数の頂点から一つの重要頂点を識別するために、グラフを解析するように実行されることであって、重要頂点は複数の関心要素のうちの重要関心要素に対応するような、グラフを解析するように実行されることとを含む、条項５に記載の装置。
【００５９】
条項７．複数の要素から成る複雑系の物理インスタンスに関するデータを受信し、処理すること（１０２）を含む方法であって、データは、複雑系に対する保守メッセージを識別するために受信及び処理され、診断手順が保守メッセージについて規定され、かつ保守メッセージに関連付けられ、診断手順は、複数の要素のうちの一又は複数の関心要素に関与するか、又は影響を与え、
複雑系の少なくとも一部分の視覚提示を生成することを含み、視覚提示は、デジタルメディアであり、かつ、複数の要素のうちの一又は複数の関心要素及び一又は複数のそれ以外の要素を描写し、視覚提示によって描写された一又は複数の関心要素を一又は複数のそれ以外の要素から区別するために、視覚提示によって描写された一又は複数の関心要素に視覚効果を適用すること（１１０）を含む、方法。
【００６０】
条項８．視覚提示を生成すること（１０８）は、複雑系のデジタル三次元（３Ｄ）モデルの少なくとも一部分の視覚提示を生成することを含み、視覚効果は一又は複数の関心要素に対応する３Ｄモデルの３Ｄオブジェクトに適用される、条項７に記載の方法。
【００６１】
条項９．保守メッセージ及び診断手順は、複数の保守メッセージ及び複数の診断手順であり、一又は複数の関心要素は、複数の診断手順に関与するか、又はそれに影響を受ける複数の関心要素である、条項７に記載の方法。
【００６２】
条項１０．複数の関心要素は、複数の診断手順のうちの第１のものに関与するか、又はその影響を受ける第１の一又は複数の関心要素と、複数の診断手順のうちの第２のものに関与するか、又はその影響を受ける第２の一又は複数の関心要素とを含み、視覚効果を適用すること（１１０）は、第１の一又は複数の関心要素と第２の一又は複数の関心要素とを互いから区別するために、第１の一又は複数の関心要素と第２の一又は複数の関心要素とで、適用される視覚要素の特性を変えることを含む、条項９に記載の方法。
【００６３】
条項１１．複数の関心要素から重要関心要素を識別するために、複数の関心要素を解析すること（１１２）を更に含み、
視覚効果を適用すること（１１０）は、複数の関心要素のうちの重要関心要素をそれ以外の関心要素から更に区別するために、重要関心要素に適用された視覚効果の特性を変えること、又は、重要関心要素に第２の視覚効果を適用することを含む、条項９に記載の方法。
【００６４】
条項１２．複数の関心要素を解析すること（１１２）は、一又は複数のエッジによって接続された複数の頂点を含むグラフを生成することであって、複数の頂点は、複数の関心要素のうちのそれぞれの要素に対応し、一又は複数のエッジは、複数の要素間の一又は複数の接続のそれぞれを表すような、グラフを生成することと、複数の頂点から一つの重要頂点を識別するために、グラフを解析することであって、重要頂点は複数の関心要素のうちの重要関心要素に対応するような、グラフを解析することとを含む、条項１１に記載の方法。
【００６５】
条項１３．非一時的で、かつ、コンピュータ可読プログラムコード部分が記憶されたコンピュータ可読記憶媒体であって、コンピュータ可読プログラムコード部分が、プロセッサによる実行に応答して、装置に少なくとも、複数の要素から成る複雑系の物理インスタンスに関するデータを受信及び処理することであって（１０２）、データは、複雑系に対する保守メッセージを識別するために受信及び処理され、診断手順が保守メッセージについて規定され、かつ保守メッセージに関連付けられ、診断手順は、複数の要素のうちの一又は複数の関心要素に関与するか、又は影響を与えるような、受信及び処理することと、
複雑系の少なくとも一部分の視覚提示を生成することであって（１０８）、視覚提示は、デジタルメディアであり、かつ、複数の要素のうちの一又は複数の関心要素及び一又は複数のそれ以外の要素を描写するような、視覚提示を生成することと、視覚提示によって描写された一又は複数の関心要素を一又は複数のそれ以外の要素から区別するために、視覚提示によって描写された一又は複数の関心要素に視覚効果を適用すること（１１０）を実行させる、コンピュータ可読記憶媒体。
【００６６】
条項１４．装置が視覚提示を生成するように実行される（１０８）ことは、複雑系のデジタル三次元（３Ｄ）モデルの少なくとも一部分の視覚提示を生成するように実行されることを含み、視覚効果は一又は複数の関心要素に対応する３Ｄモデルの３Ｄオブジェクトに適用される、条項１３に記載のコンピュータ可読記憶媒体。
【００６７】
条項１５．保守メッセージ及び診断手順は、複数の保守メッセージ及び複数の診断手順であり、一又は複数の関心要素は、複数の診断手順に関与するか、又はその影響を受ける複数の関心要素である、条項１３に記載のコンピュータ可読記憶媒体。
【００６８】
条項１６．複数の関心要素は、複数の診断手順のうちの第１のものに関与するか、又はその影響を受ける第１の一又は複数の関心要素と、複数の診断手順のうちの第２のものに関与するか、又はその影響を受ける第２の一又は複数の関心要素とを含み、装置が視覚効果を適用するように実行される（１１０）ことは、第１の一又は複数の関心要素と第２の一又は複数の関心要素とを互いから区別するために、第１の一又は複数の関心要素と第２の一又は複数の関心要素とで、適用される視覚要素の特性を変えるように実行されることを含む、条項１５に記載のコンピュータ可読記憶媒体。
【００６９】
条項１７．更なる可読プログラムコード部分が記憶されており、更なる可読プログラムコード部分は、プロセッサによる実行に応答して、装置に更に少なくとも、複数の関心要素から重要関心要素を識別するために、複数の関心要素を解析すること（１１２）を実行させ、
装置が視覚効果を適用するように実行される（１１０）ことは、複数の関心要素のうちの重要関心要素をそれ以外の関心要素から更に区別するために、重要関心要素に適用された視覚効果の特性を変えるように実行されること、又は、重要関心要素に第２の視覚効果を適用するように実行されることを含む、条項１５に記載のコンピュータ可読記憶媒体。
【００７０】
条項１８．装置が複数の関心要素を解析するように実行される（１１２）ことは、少なくとも、一又は複数のエッジによって接続された複数の頂点を含むグラフを生成するように実行されることであって、複数の頂点は、複数の関心要素のうちのそれぞれの要素に対応し、一又は複数のエッジは、複数の要素間の一又は複数の接続のそれぞれを表すような、グラフを生成するように実行されることと、複数の頂点から一つの重要頂点を識別するために、グラフを解析するように実行されることであって、重要頂点は複数の関心要素のうちの重要関心要素に対応するような、グラフを解析するように実行されることとを含む、条項１７に記載のコンピュータ可読記憶媒体。
【００７１】
この開示内容に関係を有し、上記の説明及び添付図面内に提示された教示の恩恵を受ける当業者には、本書に明記された開示の多数の修正例、及び他の実行形態が想起されよう。従って、本開示は開示された特定の実行形態に限定されず、修正例及び他の実行形態は付随する特許請求の範囲の中に含まれることが意図されているものと、理解されたい。更に、上述の説明及び添付図面は、要素及び／又は機能のある例示的な組み合わせに照らして、例示的な実行形態を説明しているが、要素及び／又は機能の種々の組み合わせが、付随する特許請求の範囲から逸脱せずに、代替的な実行形態によって提供されうることを、認識すべきである。これに関しては、付随する請求項のうちのいくつかに明記されうるように、例えば、明示的に既述されたものとは異なる要素及び／又は機能の組み合わせも想定される。本書では特定の用語が用いられているが、それらは、一般的な、及び説明的な意味でのみ使用されており、限定を目的とするものではない。
【符号の説明】
【００７２】
１００  可視化・診断解析システム
２００  グラフ
２０２  頂点
２０４  エッジ
３００  可視領域
３０２  第１部分
３０４  第２部分
３０６  第３部分
３０８  関心要素
３１０  関心要素以外の描写された要素
３１２  制御
【図１】
0006677460.tif 000002
【図２】
0006677460.tif 000003
【図３】
0006677460.tif 000004
【図４】
0006677460.tif 000005